(57)【要約】容器は、垂直軸に沿った円周／周囲変化部を有し得る容器本体、底面（１２）、および上面（１４）を有する容器開口部と、円周変化部を有する容器（１０）本体および容器開口部の一部分を覆う軸方向に配向された収縮包装スリーブ（３０）であって、収縮包装スリーブ（３０）の上縁部（２２）が上面（１４）を露出したままにし、収縮包装スリーブ（３０）の底縁部（２０）が底面（１２）を露出したままにし、収縮包装の上縁部（２２）から容器開口部の下に配向された円周方向のミシン目のリング（３４）に向かって降下する一対の略垂直なミシン目（３２）を有する収縮包装スリーブ（３０）と、を有する。いくつかの実施形態では、容器本体の円周変化部の一部分を覆う軸方向に配向された収縮包装スリーブ（３０）は、収縮包装上縁部（２２）（または収縮包装の円周方向のミシン目のリング）と底縁部（２０）との間の少なくとも１箇所に、より長い円周を有する。
2013537506.tif 000002
【特許請求の範囲】
【請求項１】
垂直軸に沿った円周／周囲変化部を有する容器本体、底面、および上面を有する容器開口部と、
円周変化部を有する前記容器本体の一部分および前記容器開口部の一部分を覆う軸方向に配向された収縮包装スリーブであって、前記収縮包装スリーブの上縁部が前記上面を露出したままにし、前記収縮包装スリーブの底縁部が前記底面を露出したままにし、
前記収縮包装の上縁部から前記容器開口部の下に配向された円周方向のミシン目のリングに向かって降下する一対の略垂直なミシン目を有する収縮包装スリーブと、
を備え、
前記収縮包装スリーブが、前記円周方向のミシン目のリングと前記上縁部との間に延在する部分を除去した後、前記容器から滑り落ちることを防ぐために、前記容器本体の円周変化部の一部分を覆う前記収縮包装スリーブが、前記円周方向のミシン目のリングと前記底縁部との間の少なくとも１箇所に、前記円周変化部の隣接する部分と比較してより短い円周またはより長い円周のうちの１つを有することを特徴とする容器。
【請求項２】
前記容器本体の円周変化部の一部分を覆う前記軸方向に配向された収縮包装スリーブは、前記収縮包装上縁部と前記底縁部との間の少なくとも１箇所に、より長い円周を有することを特徴とする請求項１に記載の容器。
【請求項３】
前記容器本体の円周変化部の一部分を覆う前記軸方向に配向された収縮包装スリーブは、前記収縮包装の円周方向のミシン目のリングと前記底縁部との間の少なくとも１箇所に、より長い円周を有することを特徴とする請求項１に記載の容器。
【請求項４】
前記容器本体の円周変化部の一部分を覆う前記軸方向に配向された収縮包装スリーブは、前記円周方向のミシン目のリングと前記底縁部との間の少なくとも１箇所に、より短い円周を有することを特徴とする請求項１に記載の容器。
【請求項５】
前記円周変化部は、約５パーセントから約２００パーセントの範囲であることを特徴とする請求項３に記載の容器。
【請求項６】
前記円周変化部は、約１００パーセントであることを特徴とする請求項５に記載の容器。
【請求項７】
前記収縮包装上縁部から降下する前記略垂直なミシン目は、前記円周方向のミシン目のリングに近づくにつれ、徐々に互いに接近することを特徴とする請求項１に記載の容器。
【請求項８】
前記収縮包装上縁部から降下する前記略垂直なミシン目は、前記円周方向のリングで終わることを特徴とする請求項７に記載の容器。
【請求項９】
前記収縮包装上縁部から降下する前記略垂直なミシン目は、前記円周方向のミシン目のリングの上方で約２つのミシン目分の間隔を空けて終わることを特徴とする請求項７に記載の容器。
【請求項１０】
前記収縮包装上縁部から降下する前記略垂直なミシン目は、最初のミシン目切込みから始まり、相対的により小さいミシン目切込みへと続き、前記収縮包装が前記容器本体に適用されると、大きい方の切込みのそれぞれが、前記垂直なミシン目間にタブを画定するように、それぞれの垂直なミシン目の最上部に「Ｖ字」形を形成するように構成されていることを特徴とする請求項７に記載の容器。
【請求項１１】
前記容器本体は、略平坦な前面および後面を有し、前記収縮包装スリーブの封止が前記後面の縁部に沿って垂直に配向されていることを特徴とする請求項１に記載の容器。
【請求項１２】
垂直軸を有する容器本体、底面、および上面を有する容器開口部と、
前記容器本体および前記容器開口部の一部分を覆う垂直に向いた収縮包装スリーブであって、前記収縮包装スリーブの上縁部が前記上面を露出したままにし、前記収縮包装スリーブの底縁部が前記底面を露出したままにし、
前記収縮包装の上縁部から前記容器開口部の下に配向された円周方向のミシン目のリングに向かって降下する一対の略垂直なミシン目を有する収縮包装スリーブと、
を含み、
前記一対の略垂直なミシン目の少なくとも１つが、前記円周方向のミシン目のリングから、前記略垂直なミシン目の少なくとも１つの前記ミシン目の２つの間の長さに相当する距離だけ離れて配置されていることを特徴とする容器。
【請求項１３】
前記容器本体は、前記垂直軸に沿って円周変化部を有することを特徴とする請求項１２に記載の容器。
【請求項１４】
垂直軸に沿って円周変化部を有する容器の一部分を覆うために適切な収縮包装スリーブであって、
上縁部および底縁部を備え、
前記収縮包装スリーブは、前記収縮包装上縁部から円周方向のミシン目のリングに向かって降下する一対の略垂直なミシン目を有し、前記一対の略垂直なミシン目の少なくとも１つが、前記円周方向のミシン目のリングから、前記略垂直なミシン目の少なくとも１つの前記ミシン目の２つの間の長さに相当する距離だけ離れて配置されていることを特徴とする収縮包装スリーブ。
【請求項１５】
印刷表示をさらに含むことを特徴とする請求項１４に記載の収縮包装スリーブ。
【請求項１６】
前記容器に接着する接着剤をさらに備えることを特徴とする請求項１４に記載の収縮包装スリーブ。
【請求項１７】
前記収縮包装スリーブは、ポリエチレンテレフタレート（ＰＥＴ）、共重合ポリエチレンテレフタレート（ＰＥＴＧ）、ポリエチレンテレフタレートグリコール（ＰＥＴＧ  ＬＶ）、ポリ塩化ビニル（ＰＶＣ）、ポリプロピレン（ＰＰ）、およびポリエチレン（ＰＥ）から成る一覧表から選択されるポリマーであることを特徴とする請求項１４に記載の収縮包装スリーブ。
【請求項１８】
前記収縮包装スリーブは、ＰＥＴＧであることを特徴とする請求項１７に記載の収縮包装スリーブ。
【請求項１９】
前記スリーブは、約４０から５５ミクロンの間のゲージを有していることを特徴とする請求項１７に記載の収縮包装スリーブ。
【請求項２０】
前記スリーブは、約４５ミクロンのゲージを有していることを特徴とする請求項１７に記載の収縮包装スリーブ。
【請求項２１】
前記収縮包装スリーブは、約７５パーセントから約８５パーセントの収縮率を有することを特徴とする請求項１４に記載の収縮包装スリーブ。
【請求項２２】
前記収縮包装スリーブは、約２：１の収縮率を有することを特徴とする請求項１４に記載の収縮包装スリーブ。
【請求項２３】
前記容器開口部は、押し上げキャップであることを特徴とする請求項１４に記載の収縮包装スリーブ。
【発明の詳細な説明】
【技術分野】
【０００１】
本発明はパッケージングに関し、より詳細には、ミシン目付き収縮包装スリーブ（a perforated shrink wrap sleeve）を有する開封容易な容器に関する。
【背景技術】
【０００２】
熱収縮性フィルム（「収縮包装」）を使用して、製品容器を密封すること、容器内容を明示すること、および容器が未開封であることの証拠を提供すること、が知られている。そのようなフィルムを適用することは、特許文献１および特許文献２に記載されており、それらの明細書は参照によって組み込まれる。収縮包装の適用は、食品または医薬品用途など、様々な製品用の様々な容器に経済的に適用され得る。
【先行技術文献】
【特許文献】
【０００３】
【特許文献１】米国特許第６，２９６，１２９号明細書
【特許文献２】米国特許第５，６０５，２３０号明細書
【発明の概要】
【発明が解決しようとする課題】
【０００４】
熱収縮性フィルムの利点にかかわらず、収縮包装パッケージング（shrink wrap packaging）は、不規則な形状の容器には困難な場合がある。そのような場合、収縮包装は、適用することが困難であり、除去することが困難であり、また顕著な歪みを伴わずに印刷物を提供することが困難なことがある。
【課題を解決するための手段】
【０００５】
したがって、本明細書では、不規則形状および非対称の容器に対しても、容易な部分的除去、改ざんの証拠、および製品明示を提供するように構成された、ミシン目付き収縮包装スリーブおよびミシン目付き収縮包装スリーブを有する容器の実施形態が提供される。
【０００６】
好ましい実施形態は、容器であって、垂直軸に沿った円周／周囲変化部を有し得る容器本体、底面、および上面を有する容器開口部と、円周変化部を有する容器本体および容器開口部の一部分を覆う軸方向に配向された収縮包装スリーブであって、収縮包装スリーブの上縁部が上面を露出したままにし、収縮包装スリーブの底縁部が底面を露出したままにし、収縮包装の上縁部から容器開口部の下に配向された円周方向のミシン目のリングに向かって降下する一対の略垂直なミシン目を有する収縮包装スリーブと、を備える容器を提供する。いくつかの実施形態では、容器本体の円周変化部の一部分を覆う軸方向に配向された収縮包装スリーブは、収縮包装上縁部（または収縮包装の円周方向のミシン目のリング）と底縁部との間の少なくとも１箇所に、円周変化部の隣接する部分と比較して、より長い円周を有する。
【０００７】
別の実施形態では、容器本体の円周変化部の一部分を覆う軸方向に配向された収縮包装スリーブは、収縮包装の水平ミシン目と底縁部との間の少なくとも１箇所に、円周変化部の隣接する部分と比較して、より短い円周を有することができる。円周変化部は、約５パーセントから約２００パーセントの範囲、好ましくは約１００パーセントとすることができる。
【０００８】
収縮包装上縁部から降下する略垂直なミシン目は、円周方向のリングに近づくにつれ、徐々に互いに接近して収束することができる。収縮包装上縁部から降下する垂直なミシン目は、円周方向のリングのところでまたは円周方向のリングの上方約２つのミシン目分のところで終わることができる。そのような距離は、略垂直なミシン目の２つのミシン目間の長さまたはそれ以上の長さに相当する。
【０００９】
その他の実施形態では、収縮包装上縁部から降下する収縮包装の垂直なミシン目は、最初のミシン目切込みから始まり、相対的により小さいミシン目切込みへと続くことができ、収縮包装が容器本体に適用されると、大きい方の切込みが、垂直なミシン目間にタブを画定するように、それぞれの垂直なミシン目の最上部に「Ｖ字」形を形成するように構成されている。
【００１０】
容器本体は、略平坦な前面および後面を有することができ、収縮包装の封止は、後面の縁部に沿って垂直に配向されている。
【００１１】
特定の実施形態では、容器は、垂直軸、底面、および上面を有する容器開口部を有する容器本体と、容器本体および容器開口部の一部分を覆う垂直に向いた収縮包装スリーブであって、収縮包装スリーブの上縁部が上面を露出したままにし、収縮包装スリーブの底縁部が底面を露出したままにし、収縮包装スリーブの上縁部から容器開口部の下に向いた、周方向のミシン目リングに向かって降下する一対の略垂直なミシン目を有する収縮包装スリーブと、を含むことができる。
【００１２】
別の特定の実施形態では、容器は、垂直軸に沿った円周変化部を有する容器本体、底面、および上面を有する容器開口部と、容器本体の円周変化部および容器開口部の一部分を覆う垂直に配向された収縮包装スリーブであって、収縮包装スリーブの上縁部が上面を露出したままにし、収縮包装スリーブの底縁部が底面を露出したままにし、収縮包装スリーブの上縁部の下方のある距離から、容器開口部の下に配向された円周方向のミシン目のリングに向かって降下する一対の略垂直なミシン目を有する収縮包装スリーブと、を備え得る。
【００１３】
垂直軸に沿って円周変化部を有する容器の一部分を覆うために使用するのに適切な収縮包装スリーブの実施形態は、上縁部および底縁部を有することができ、収縮包装スリーブは、収縮包装スリーブ上縁部から円周方向のミシン目のリングに向かって降下する一対の略垂直なミシン目を有する。本実施形態の任意の特徴は、印刷表示、および容器を収縮包装スリーブに接着する接着剤を含むことができる。クレーム１４の収縮包装スリーブは、ポリオレフィン、ポリエチレンテレフタレート（ＰＥＴ）、共重合ポリエチレンテレフタレート（ＰＥＴＧ）、ポリエチレンテレフタレートグリコール（ＰＥＴＧ  ＬＶ）、ポリ塩化ビニル（ＰＶＣ）、ポリプロピレン（ＰＰ）、ポリエチレン（ＰＥ）などのポリマーおよびそれらの組み合わせとすることができる。好ましくは、収縮包装スリーブは、ＰＥＴＧ、さらにはＰＥＴＧ  ＬＶである。収縮包装フィルムは、約４０から５５ミクロン、好ましくは約４５ミクロンのゲージを有することができる。収縮包装スリーブは、約７５パーセントから約８５パーセントの収縮率、および約２：１の収縮率を有することができる。
【００１４】
他の特徴は、パッケージに関係する当業者には、以下の説明およびクレームからより明らかになるであろう。
【図面の簡単な説明】
【００１５】
【図１】ミシン目付き収縮包装スリーブを有する典型的な容器の一実施形態の前面斜視図である。
【図２】第１のミシン目が剥がされた、ミシン目付き収縮包装スリーブを有する典型的な容器の一実施形態の前面斜視図である。
【図３】第１のミシン目が除去され、第２のミシン目が部分的に剥がされた、ミシン目付き収縮包装スリーブを有する典型的な容器の一実施形態の前面斜視図である。
【図４】第１のミシン目および第２のミシン目が剥がされた、ミシン目付き収縮包装スリーブを有する典型的な容器の一実施形態の前面斜視図である。
【図５】ミシン目付き収縮包装スリーブを有する典型的な容器の一実施形態の後面斜視図である。
【図６Ａ】典型的なミシン目付き収縮包装スリーブの一実施形態の平面的正面図である。
【図６Ｂ】典型的なミシン目付き収縮包装スリーブの一実施形態が容器上に配置された側面図である。
【図７Ａ】典型的なミシン目付き収縮包装スリーブの第２の実施形態の平面的正面図である。
【図７Ｂ】典型的なミシン目付き収縮包装スリーブの第２の実施形態が容器上に配置された側面図である。
【図８Ａ】典型的なミシン目付き収縮包装スリーブの第３の実施形態の平面的正面図である。
【図８Ｂ】典型的なミシン目付き収縮包装スリーブの第３の実施形態が容器上に配置された側面図である。
【図９Ａ】典型的なミシン目付き収縮包装スリーブの第４の実施形態の平面的正面図である。
【図９Ｂ】典型的なミシン目付き収縮包装スリーブの第４の実施形態が容器上に配置された側面図である。
【図１０Ａ】典型的なミシン目付き収縮包装スリーブの第５の実施形態の平面的正面図である。
【図１０Ｂ】典型的なミシン目付き収縮包装スリーブの第５の実施形態が容器上に配置された側面図である。
【図１１】典型的なミシン目付き収縮包装スリーブの一実施形態の平面的後面図である。
【図１２】容器のための収縮包装スリーブの一実施形態のブランクを示す図である。
【図１３】ミシン目付き収縮包装スリーブを有する典型的な容器の第２の実施形態の正面図である。
【発明を実施するための形態】
【００１６】
上記の特徴およびその他の特徴は、同じ番号は、同じ構成要素を示す、以下の説明および図を参照することで明らかになるであろう。
【００１７】
本明細書では、不規則形状および非対称の容器に対しても、容易な部分的除去、改ざんの証拠、および製品明示を提供するように構成された、ミシン目付き収縮包装スリーブおよびミシン目付き収縮包装スリーブを有する容器の実施形態が提供される。
【００１８】
本実施形態は、一般に、消費者が製品に完全にアクセスすることができるための費用効率が高く、容易な開封特徴を示す。上述のように、本実施形態は、透明、半透明、不透明、またはそれらの変形／組み合わせとすることができる収縮包装フィルムに、写実的なおよびその他のタイプの印刷された情報を提供する印刷面を備えることができる。金属性インクを使用して、銀または金属性の色調を提供することもできる。容器形状の不規則性に対応するために、最大対最小の収縮率は、少なくとも２：１とするべきである。フィルムの帯の一部が除去された後も収縮包装を維持することができる限り、様々な製品容器サイズが可能であることに留意されたい。収縮包装フィルムは、スリーブとして適用されることが好ましい。容器底部がある場合、この底部が収縮包装で包み込まれないことが好ましい。上部が先細の容器では、スリーブは、「皺がよること（puckering）」が起きないように容器上のある高さで終わるべきである。例えば、図１および図１３に示す容器の実施形態では、上部付近で「皺」の痕跡を減らすように形が整えられ、容器が自立することができるように底部には存在しないスリーブが示されている。
【００１９】
本実施形態のミシン目によって、肩部の上の収縮包装の除去が可能となり、これによって押し上げキャップ（flip top cap）のような容器開口部にアクセスすることができる。収縮包装のミシン目は、ミシン目が一旦破られると（裂けると）、および／またはフィルム材料の帯の一部が除去されると、容器が開封されたことが目視で明らかになるという点で、開封明示機能を提供する。本実施形態ではいくつかのミシン目パターンが説明されるが、他のいくつかの変形も可能であることに留意されたい。しかしながら、ミシン目パターンの一般的な特徴は、２つの別個のミシン目タイプを提供することができる。第１のパターンは、スリーブに対して軸方向に配向した一対のミシン目とし、タブを形成することができ、第２のパターンは、軸方向に配向したミシン目に対して直交する概ね円周方向のリングパターンとし、除去用の上部帯を画定することができる。一対の軸方向のミシン目は、円周方向リングの上方または上方付近（例えば、１〜５ｍｍまたは１〜３ミシン目）で終わることができる。パターンは、材料の上部帯を一動作で、または垂直タブを最初に除去し、次いで上部帯の残りの部分を除去することによって、除去するように構成され得る。収縮包装の材料は、複数の容器の屈曲（例えば、少なくとも５０回）に耐えるように構成されるべきである。このような特徴は、製品を供給するために容器を搾る必要のある濃縮飲料のような製品が入っている容器に対して有用である。
【００２０】
ここで図に戻ると、ミシン目付き収縮包装スリーブを有する容器が１０で全体的に示されている。示されるように、容器１０を使用して、濃縮液を望ましい方法で供給することができる。容器１０は、例えば、広範な圧搾力にわたって一定に注ぐこと、容器内の濃縮液の量に大きく依存することなく同じ力で概ね一定に注ぐこと、実質的に液だれしないまたは漏れない出口開口部、濃縮液を別の液体に注入するときに飛散を最小限にする噴流（a jet）、および濃縮液と他の液体との間の混合を最大にするノズルなど、望ましい特性を含むことができる。容器１０は、これらの特性のいくつかまたは全部を使用し、濃縮液の噴流を、対象液体が入っている対象容器へと供給する。本明細書で説明する容器１０は、著しい飛散または跳ねなしに対象液体を注入し、対象容器内で濃縮液と対象液体との十分な乱流または混合を起こし、外部器具または振動を使用することなく、全体的に均質の最終混合物を形成するように、濃縮液を供給することができる。
【００２１】
ここで図１および図１３を参照すると、上記の特性の少なくともいくつか、および好ましくは全部を備えた容器１０の典型的な形状が示されている。容器は、閉じた第１の端部１２、および蝶番４４によって後面２３に固定された蝶番連結式押し上げキャップ１６を有する上部の第２の端部１４を含むことができる。第１の端部１２および押し上げキャップ１６は、任意の多角形、任意の曲線形、または任意のそれらの組み合わせを含む任意の適切な断面とすることができる概ね管状の側壁１８によって連結され、容器内部を形成することができる。容器１０は、さまざまな使用に合った大きさとすることができることが好ましく、具体的には、２０〜２００ｃｃの範囲にあり得る。
【００２２】
容器１０の典型的な形状が、図１および図１３に示されている。第１の端部１２は、上に載っている容器１０に対するしっかりとした基部として作用する。側壁１８は、通常、基部または第１の端部１２から第２の端部１４まで上方に向って延在することができる。図１の形状では、容器１０は、略「卵」形を有し得る。前面２１および後面２３は、それぞれ、人間工学的容器形状をもたらすように湾曲している。図１３の別の実施例では、容器１０は、平面的正面図で「砂時計」形を有するように、側壁１８は、「腰部」８０を含み得る。
【００２３】
ミシン目付き収縮包装スリーブ３０は、押し上げキャップ１６の合わせ目を含んで容器１０を部分的に覆うことができる。該ミシン目付き収縮包装スリーブ３０は、通常、水平の（円周の）ミシン目のリング３４に向かって下向きに延在する一対の垂直なミシン目３２を含む２つのミシン目パターンを有し得る。収縮包装スリーブ３０は、ポリエチレンテレフタレート（ＰＥＴ）、共重合ポリエチレンテレフタレート（ＰＥＴＧ）、ポリエチレンテレフタレートグリコール（米国ペンシルバニア州クロイドン、ＧＩＬＢＲＥＴＨ社によってフィルムとして販売されているようなＰＥＴＧ  ＬＶ）、ポリ塩化ビニル（ＰＶＣ）、ポリプロピレン（ＰＰ）、ポリエチレン（ＰＥ）およびそれらの組み合わせ（または他の収縮性フィルム）のようなポリオレフィンであり得る。好ましくは、収縮包装スリーブ３０は、ＰＥＴＧである。収縮包装スリーブ３０のゲージは、約４０〜５５ミクロン、好ましくは約４５ミクロンとすることができる。収縮包装スリーブ３０の収縮は、約７５パーセントから約８５パーセント（好ましくは、約７６パーセント）の収縮率であり、好ましくは約２：１の収縮率に耐えるように選択された収縮率を有する。収縮包装スリーブ３０は、透明、半透明、不透明、またはそれらの様々な組み合わせとすることができるフィルム上に、写実的なおよびその他のタイプの印刷された情報または表示のための印刷面を提供することができる。金属性インクを使用して、銀または金属性の色調を提供することもできる。
【００２４】
本実施形態では、容器１０は、好ましくは、例えば垂直軸のような、収縮包装スリーブ３０を受け取るように配向された軸に沿った円周変化部を有する本体を有する。本用語による円周は、周囲変化を意味し、円形、楕円形およびその他の様々な曲線形または幾何学形断面を含み得ることに留意されたい。例を挙げると、容器１０は、垂直軸に沿って収縮包装スリーブ３０を受け取るように構成されている。容器本体の収縮包装スリーブ３０で覆われた部分は、収縮包装ミシン目の水平リング３４と収縮包装底縁部２０との間の少なくとも１箇所に、円周の隣接する部分と比較してより長い（図１、１８）またはより短い（図１３、８０）円周を有する、円周変化部を有し得る。あるいは、容器本体の収縮包装スリーブ３０で覆われた部分は、収縮包装上縁部２２と収縮包装底縁部２０との間の少なくとも１箇所に、円周の隣接する部分と比較してより長い（図１、１８）またはより短い（図１３、８０）円周を有する、円周変化部を有し得る。この変化は、約５〜約２００パーセントであることが好ましく、約１００パーセントであることが最も好ましい。収縮包装スリーブ３０のブランク（a blank）２８（図１２）への印刷は、収縮包装フィルムが容器に適用されると、円周変化部に対応するため印刷が歪むことがある。例えば、フィルムの高さが約８０ｍｍであり、図１に示すように配置されている図１の容器１０では、歪み率は、以下の歪み率表に基づくことができる。
【００２５】
【表１】
2013537506.tif 000003
【００２６】
軸方向の円周変化部によって、図示された押し上げキャップ１６のような容器開口部を露出させ、製品を取り去るために容器開口部が開けられることを可能とすべく、収縮包装の上部帯が取り除かれる前および／または取り除かれた後に、収縮包装シールが容器から滑り落ちることを防ぐことができる。あるいは、容器１０本体と収縮包装スリーブ３０の内面との間に、様々な構成で接着剤が塗布され得る。
【００２７】
本実施形態のミシン目パターンは、変更されることが可能であるが、垂直なミシン目３２に対して略直交する概略円周方向のミシン目のリングを優先的に含んでいる。図示されるように、垂直に配向された収縮包装スリーブ３０の水平ミシン目３４は、通常、製品の除去のために容器開口部を露出させるように上部帯３８が除去された後に残る収縮包装スリーブ３０の上縁部を画定する。
【００２８】
収縮包装スリーブ３０のミシン目の第２の特徴は、円周方向のミシン目のリングに対して略直角に延びることができる、一対のミシン目である。図示されるように、垂直に配向された収縮包装スリーブに関し、略垂直なミシン目３２は、収縮包装上縁部２２から、押し上げキャップ１６へのアクセスの下に配向されている水平リングのミシン目のリング３４に向かって降下し得る。押し上げキャップ１６へのアクセスは、突起５４の下の窪み部分５２を使用することにより可能となる。さらに、多くのミシン目パターンの変更が、実施形態の範囲内で可能である。図６〜１０は、これらの変更のタイプの例をまさに示している。垂直なミシン目３２は、円周方向のミシン目のリング３４に向かって延びるにつれ（本明細書では、降下するにつれ）、平行、収束、または拡大してもよい。垂直なミシン目３２は、水平リング３４で終わってもよいし、または水平リング３４の上のある箇所で終わってもよい。
【００２９】
図示されるように、垂直なミシン目は、水平リング３４に近づくにつれ、収束することが好ましい。図６ａは、容器本体１０上への配置および熱収縮の準備ができた収縮包装スリーブのミシン目パターンを示す。図６ｂは、容器１０に適用され、熱収縮または容器上でフィルムを収縮するための当技術分野では既知のその他の手段によって、容器に固定された後の収縮包装スリーブ３０を示す。図７〜１０は、代替的なミシン目パターンの実施形態の同様の図を示す。任意の特徴または様々な実施形態を、その他の実施形態内で相互に置換することができることに留意されたい。
【００３０】
図６に関して、垂直なミシン目３２は、水平ライン３４に近づき、終わるにつれて収束する。分割効果をもたらすように、垂直なミシン目３２の上端部に大きな切込み６６が追加され、容器１０に適用されると「Ｖ字」７２となる。「Ｖ字」７２の対は、使用者が簡単に除去することができるように剥離タブ７４を提供する。使用者が剥離タブ７４を引っ張ると、収縮包装がミシン目間で裂けるため、垂直タブ３６が生成されることに留意されたい。何らかの裂けたパターンによって、収縮包装が容器上に配置された後、容器が今までに開封され、または改ざんされたことがあるかどうかを明らかにする容器の目視検査が可能であることにも留意されたい。
【００３１】
図７は、収縮包装スリーブ３０の上縁部２２の下に位置する大きな切込み６６の変形を示す。言い換えると、大きな切込み６６は、スリーブ３０の上縁部の１つまたは複数の通常のミシン目切込みの下に配置されている。この場合、熱収縮によって収縮包装が分離して、円形開口部を形成し、個別の剥離タブ７４を形成することなく垂直タブ３６を作成することを助ける。
【００３２】
図８は、水平リング３４に到達する前に垂直なミシン目３２が終端することによるミシン目パターンの変形を示す。これは、水平リング３４に到達する前に１つ、２つ、または３つのミシン目を配置しないことによって、画定することができる。高さが約８０ｍｍの容器では、このミシン目のない領域６８は、約１から５ｍｍ、好ましくは約１から２ｍｍの寸法７０を有することができる。図９は、垂直なミシン目３２の一方のみがミシン目のない領域６８を有する場合を示す。
【００３３】
図１０は、垂直タブ３６を除去すると（例えば、図２を参照）、垂直タブ３６が水平ミシン目リングに達したとき収縮包装スリーブ３０から分離するようにする、水平切込み７８を示す。
【００３４】
使用の際は、一連の図２〜４に示されように、使用者はタブ７４をつまみ、垂直タブ３６を形成するように収縮包装を水平リング３４に向かって引っ張ることができる（図１）。使用者は、ミシン目パターンに応じて、垂直タブ３６を水平リング３４に近づくまで連続的に引っ張り、次いで、水平に引っ張り（図２）、上部収縮包装帯３８が除去されるまで（図３）収縮包装の水平リングのミシン目を続けて裂くことができる。帯３８が除去されると、下部収縮包装帯４０が残り、製品の使用の準備ができる。
【００３５】
収縮包装３０は、図１２に示すようにＰＥＴＧの連続フィルムのブランク２８によって形成することができる。図１２に示すように、切断線５０は、折り線４８、封止領域４２、コピー限界５６、非ライブコピー（no live copy）５８、非法的情報（no legal information）６０（収縮包装のこの部分は使用前に除去されるため）、前面パネル印刷６２、および後面パネル印刷６４とともに、スリーブ用ブランク２８のサイズを画定する。ブランクが形成されると、フィルムは、封止領域４２で封止され、ミシン目３２およびミシン目３４が追加されて、容器１０上に配置する準備のできた収縮包装シールを形成する。容器上に熱収縮するためのブランクを形成することが可能な変形形態は、限りなく存在することに留意されたい。
【００３６】
好ましい実施形態を詳細に説明したが、記載された実施形態の範囲内で変更および修正を実施することができる。
【図１】
2013537506.tif 000004
【図２】
2013537506.tif 000005
【図３】
2013537506.tif 000006
【図４】
2013537506.tif 000007
【図５】
2013537506.tif 000008
【図６Ａ】
2013537506.tif 000009
【図６Ｂ】
2013537506.tif 000010
【図７Ａ】
2013537506.tif 000011
【図７Ｂ】
2013537506.tif 000012
【図８Ａ】
2013537506.tif 000013
【図８Ｂ】
2013537506.tif 000014
【図９Ａ】
2013537506.tif 000015
【図９Ｂ】
2013537506.tif 000016
【図１０Ａ】
2013537506.tif 000017
【図１０Ｂ】
2013537506.tif 000018
【図１１】
2013537506.tif 000019
【図１２】
2013537506.tif 000020
【図１３】
2013537506.tif 000021
【国際調査報告】
2013537506.tif 000022
2013537506.tif 000023